(57)【要約】【課題】たとえ下枠の略平坦面の上面が雨水等で濡れていたとしても、その下枠の上面に足が乗った時に滑って転ぶのを防止する。【解決手段】上下枠２ａ，２ｂ及び左右の縦枠２ｃ，２ｄからなる枠２と、枠２内に左右方向に開閉可能に設けられた障子３，４とを備え、下枠２ｂの上面１２を略平坦面に形成し、下枠２ｂの上面１２に滑り止め部材６３を設ける。下枠２ｂは室内側に延出したアングル部６２を一体または別体で有し、アングル部６２の上面に滑り止め部材６４が設けられる。下枠２ｂの上面には障子３，４の下部の垂下片１７，１８を案内する案内溝２０，２１が設けられ、案内溝２０，２１には垂下片１７，１８との間を封止する横気密材４２，４３が設けられ、横気密材４２，４３には下枠２ｂの上面を覆う滑り止め部材６６，６７が形成されている。【選択図】          図１１
2004346589.tif 000002
【特許請求の範囲】
【請求項１】
上下枠及び左右の縦枠からなる枠と、該枠内に左右方向に開閉可能に設けられた障子とを備え、前記下枠の上面を略平坦面に形成し、該下枠の上面に滑り止め部材を設けてなることを特徴とする開口部装置。
【請求項２】
上下枠及び左右の縦枠からなる枠と、該枠内に左右方向に開閉可能に設けられた障子とを備え、前記下枠は室内側に延出したアングル部を一体または別体で有し、該アングル部を含む下枠の上面を略平坦面に形成し、前記アングル部の上面に滑り止め部材を設けてなることを特徴とする開口部装置。
【請求項３】
上下枠及び左右の縦枠からなる枠と、該枠内に左右方向に開閉可能に設けられた障子とを備え、前記下枠の上面を略平坦面に形成し、前記障子の下部に垂下片を設け、前記下枠の上面に前記垂下片を案内する案内溝を設け、該案内溝に前記垂下片との間を封止する横気密材を設け、該横気密材には下枠の上面を覆う滑り止め部材が形成されていることを特徴とする開口部装置。
【請求項４】
上下枠及び左右の縦枠からなる枠と、該枠内に引違いに開閉可能に設けられた障子とを備え、前記下枠の上面を略平坦面に形成し、前記障子の下部に垂下片を設け、前記下枠の上面に前記垂下片を案内する案内溝を設け、該案内溝に前記垂下片との間を封止する横気密材を設け、前記下枠の上面に滑り止め部材を設けてなることを特徴とする開口部装置。
【発明の詳細な説明】
【０００１】
【発明の属する技術分野】
本発明は、開口部装置に係り、特に下枠の上面がバリアフリーの略平坦面に形成されていると共に滑りにくくされている開口部装置に関する。
【０００２】
【従来の技術】
開口部装置としては、例えば特許文献１に記載されているように、建築物の屋外開口部に設けられる上下枠及び左右の縦枠からなる枠と、該枠内の前記下枠上に戸車を介して左右方向にスライド開閉可能に設けられた引違い障子とを備え、前記下枠の上面を略平坦面に形成し、内外の障子の室内側下部に垂下片を設け、前記下枠の上面に前記垂下片を案内する案内溝を設けたバリアフリー構造の下枠フラットサッシ（下枠上面に突出したレールが無いのでノンレールサッシともいう）が知られている。
【０００３】
前記サッシの場合、下枠の上面が略平端面に形成されているので、下枠の上面に裸足で乗っても痛くなく、また、つまずくことなく安全に歩行することができる。
【０００４】
【特許文献１】
特開２００２−２２７５３７号公報
【０００５】
【発明が解決しようとする課題】
しかしながら、前記サッシの場合、下枠の上面が雨水等で濡れていたりすると、滑り易くなり、足が下枠上面に乗った時に滑って転ぶ恐れがある。
【０００６】
本発明は、前記事情を考慮してなされたもので、たとえ下枠の略平坦面の上面が雨水等で濡れていたとしても、その下枠の上面に足が乗った時に滑って転ぶのを防止することができる開口部装置を提供することを目的とする。
【０００７】
【課題を解決するための手段】
本発明のうちの請求項１の発明は、上下枠及び左右の縦枠からなる枠と、該枠内に左右方向に開閉可能に設けられた障子とを備え、前記下枠の上面を略平坦面に形成し、該下枠の上面に滑り止め部材を設けてなることを特徴とする。
【０００８】
請求項２の発明は、上下枠及び左右の縦枠からなる枠と、該枠内に左右方向に開閉可能に設けられた障子とを備え、前記下枠は室内側に延出したアングル部を一体または別体で有し、該アングル部を含む下枠の上面を略平坦面に形成し、前記アングル部の上面に滑り止め部材を設けてなることを特徴とする。
【０００９】
請求項３の発明は、上下枠及び左右の縦枠からなる枠と、該枠内に左右方向に開閉可能に設けられた障子とを備え、前記下枠の上面を略平坦面に形成し、前記障子の下部に垂下片を設け、前記下枠の上面に前記垂下片を案内する案内溝を設け、該案内溝に前記垂下片との間を封止する横気密材を設け、該横気密材には下枠の上面を覆う滑り止め部材が形成されていることを特徴とする。
【００１０】
請求項４の発明は、上下枠及び左右の縦枠からなる枠と、該枠内に引違いに開閉可能に設けられた障子とを備え、前記下枠の上面を略平坦面に形成し、前記障子の下部に垂下片を設け、前記下枠の上面に前記垂下片を案内する案内溝を設け、該案内溝に前記垂下片との間を封止する横気密材を設け、前記下枠の上面に滑り止め部材を設けてなることを特徴とする。
【００１１】
【発明の実施の形態】
以下に、本発明の実施の形態を添付図面に基いて詳述する。図１は本発明の実施の形態の開口部装置を概略的に示す室内側正面図、図２は図１の横断面図、図３は図１の縦断面図である。図４は気密構造を説明するための概略的斜視図、図５及び図６は召内框下部の気密構造を説明するための概略的斜視図である。図７は開口部装置の要部縦断面図、図８は同要部横断面図である。図９は排水弁の一例を示す図で、（ａ）は排水時の断面図、（ｂ）は逆流防止時の断面図、図１０は下枠の上面における分割状態を示す図で、（ａ）は障子が無い時の図、（ｂ）は障子を右側に寄せた時の図である。図１１は下枠の拡大横断面図である。
【００１２】
図１〜図３，図７において、１は開口部装置である下枠フラットサッシ（ノンレールサッシ）で、このサッシ１は、建築物の屋外開口部に取付けられる上下枠（上枠と下枠）２ａ，２ｂ及び左右の縦枠２ｃ，２ｄからなる枠２と、該枠２内に左右方向にスライド開閉可能に取付けられた障子（実施例では引違い障子）３，４とを備えている。枠２の室外側には網戸５が左右方向にスライド開閉可能に取付けられている。上枠２ａ、下枠２ｂ及び左右の縦枠２ｃ，２ｄは、例えばアルミ押出形材からなっている。
【００１３】
前記内障子３は、例えばアルミ押出形材からなる上下框（上框と下框）６ａ，６ｂ及び左右の縦框（召し合せ框と戸先框）６ｃ，６ｄからなる框６内にガラスパネル７を装着してなる。前記外障子４は、例えばアルミ押出形材からなる上下框（上框と下框）８ａ，８ｂ及び左右の縦框（召し合せ框と戸先框）８ｃ，８ｄからなる框８内にガラスパネル９を装着してなる。下框６ｂ，８ｂには戸車１０，１１が取付けられ、この戸車１０，１１を介して障子３，４が下枠２ｂの上面１２にスライド開閉可能に支持されている。戸車１０，１１には障子３，４の高さ調整を行う図示しない建て付け調整機構が設けられている。
【００１４】
前記下枠２ｂの上面１２は略平坦面に形成され、室外側に配置した排水用グレーチング１３やバルコニー等のデッキ部１４と、室内側の床部１５とが下枠２ｂの上面１２と略水平に形成され、バリアフリー構造になっている。グレーチング１３の下には排水溝１６が設けられている。下枠２ｂの上面１２の戸車１０，１１が走行する部分は戸車１０，１１を案内すべく若干凹面に形成されていても良い。
【００１５】
内障子（室内側に位置する障子）３の室外側下部にはその長手方向全長に亘って垂下片（第１垂下片）１７が設けられ、外障子（室外側に位置する障子）４の室内側下部にその長手方向全長に亘って垂下片（第２垂下片１８）が設けられている。前記垂下片１７，１８は戸車１０，１１の下端よりも下方に延出されている。前記下枠２ｂの上面１２には２つの前記垂下片１７，１８を案内する幅の狭い案内溝（第１案内溝と第２案内溝）２０，２１が下枠の長手方向全長に亘って設けられている。前記網戸５の下部には下枠２ｂの上面１２を走行する戸車２２が取付けられ、網戸５の下部にはその長手方向全長に当って垂下片２３が設けられ、下枠２ｂの上面１２には垂下片２３を案内する案内溝２４が設けられている。
【００１６】
また、下枠２ｂ内にはこれを上下に仕切る隔壁２５が設けられ、該隔壁２５の上部には各案内溝２０，２１と連通した幅の広い溝部（第１溝部と第２溝部）２６，２７が隔壁２５からの３つの立上り壁（第１立上り壁、第２立上り壁、第３立上り壁）２８，２９，３０によって形成されている。隔壁２５の上部には前記立上り壁２８，２９，３０によって第１溝部２６と第２溝部２７の他に室内側溝部３１と室外側溝部３２が形成されている。隔壁２５の下部は空間部３３とされ、該空間部３３は下枠２ｂの室外壁に設けた排水口３４を通して室外の排水溝１６と連通されている。前記第１溝部２６と第２溝部２７の底部（隔壁２５）には閉鎖状態の障子３，４よりも室外側空間と前記下枠２ｂの空間部３３とを連通する排水孔３５，３６が設けられている。前記下枠２ｂの空間部３３は図示例の場合、中空部（ホロー部）からなっているが、これに限定されない。
【００１７】
前記少なくとも上部が開放された第１，第２溝部２６，２７の清掃性を向上させるために、図１１にも示すように下枠２ｂの上面１２は横断面で見て３つのカバー材（室内側カバー材、中間カバー材、室外側カバー材）３７，３８，３９により脱着可能に構成されている。室内側カバー材３７は室内側溝部３１の上面を覆うように形成され、内障子３をスライド開閉可能に支持している。室内側カバー材３７の一側部は室内側溝部３１の底部に支持され、他側部は第１立上り壁２８に支持されている。この室内側カバー材３７の他側部に後述する第１横気密材４２の取付溝が形成されている。室内側カバー材３７は取付具例えばネジ（ビス）４０で隔壁（下枠本体）２５に脱着可能に取付けられている。
【００１８】
中間カバー材３８は、第２立上り壁２９及び第３立上り壁３０を有し、第２立上り壁２９に後述する第２横気密材４３の取付溝が形成されている。室外側カバー材３９は室外側溝部３２の上面を覆うように形成され、外障子４をスライド開閉可能に支持している。室外側カバー材３９の一側部は室外側溝部３２の底部に支持され、他側部は第３立上り壁３０に支持されている。中間カバー材３８及び室外カバー材３９は一緒に、共通の取付具例えばネジ（ビス）４１により隔壁（下枠本体）２５に脱着可能に取付けられている。
【００１９】
障子３，４を取外すこと無く下枠２ｂを容易に掃除できるようにするために、図１０に示すように、内障子３側（内観右側）は室内側カバー材３７ａを固定とし、中間カバー材３８ａと室外側カバー材３９ａを脱着可能とし、外障子４側（内観左側）は中間カバー材３８ｂを固定とし、室内側カバー材３７ｂと室外側カバー材３９ｂを脱着可能としている。品質上重要な気密材が存在する部位（３７ａ，３８ｂ）を固定とし、気密性や耐久性が損なわれないようにしている。障子を左側（外障子側）に寄せた時に露出する右側の室外側カバー材３９ａ及びその下の中間カバー材３８ａが脱着可能に分割されており、障子を右側（内障子側）に寄せた時〔図１０（ｂ）参照〕に露出する室内側カバー材３７ｂ及び室外側カバー材３９ｂが脱着可能に分割されている。
【００２０】
すなわち、室内側カバー材３７は内障子側室内側カバー材３７ａと外障子側室内側カバー材３７ｂに分割され、内障子側室内側カバー材３７ａが常時固定とされ、外障子側室内側カバー材３７ｂが脱着可能とされている。中間カバー材３８は内障子側中間カバー材３８ａと外障子側中間カバー材３８ｂに分割され、内障子側中間カバー材３８ａが脱着可能とされ、外障子側中間カバー材３８ｂが常時固定とされている。室外側カバー材３９は内障子側室外側カバー材３９ａ、外障子側室外側カバー材３９ｂ及びこれらの中間室外側カバー材３９ｃに分割され、中間室外側カバー材３９ｃが常時固定とされ、内障子側室外側カバー材３９ａ及び外障子側室外側カバー材３９ｂが脱着可能とされている。
【００２１】
前記内障子側中間カバー材３８ａ、内障子側室外側カバー材３９ａ、外障子側室内側カバー材３７ｂ及び外障子側室外側カバー材は３９ｂ、一端をストッパー５３，５８や端部ピース５７に引っ掛け、他端をネジ４０，４１で止めることにより、ネジの本数の削減及び脱着作業の作業性の向上が図られていることが好ましい。外障子側室内側カバー材３７ｂは、下枠上（具体的には下枠本体である隔壁上、以下同様。）に取付けられた内障子用ストッパー５３の受部（図示省略）に一端が引っ掛けられる。外障子側室外側カバー材３９ｂは、下枠２ｂ上に取付けられた端部ピース５７の受部に一端が引っ掛けられる。内障子側中間カバー材３８ｂ及び内障子側室外側カバー材３９ａは、下枠２ｂ上に取付けられた外障子用ストッパー５８の受部に一端が引っ掛けられる。
【００２２】
サッシ１の室内側と室外側を気密に遮断するために、枠２と閉鎖時の障子３，４により両者の間に連続した気密ライン（止水ラインともいう）を如何に形成するかが重要となる。本実施例では、図４〜図７にも示すように前記下枠２ｂにおける閉鎖状態の障子３，４の各垂下片１７，１８と案内溝２０，２１の室内側縁部との間に軟質樹脂製の横気密材（第１横気密材と第２横気密材）４２，４３が設けられている。前記横気密材４２，４３は各案内溝２０，２１の室内側縁部（気密材取付溝）に取付けられ、各横気密材４２，４３に対して各垂下片１７，１８が室外側から接している。
【００２３】
前記第１横気密材４２と第２横気密材４３のそれぞれの一端部は、閉鎖位置の障子３，４の召し合せ框６ｃ、８ｃの位置で切断されており、下枠２ｂの第１案内溝２０を含む第１溝部２６内の長手方向略中央部（召し合せ框の位置）に配置された軟質樹脂製の召し合せ框下部止水ブロック４４と、第２立上り壁２９の上部に配置された下枠風止め部材５６と、内障子３の召し合せ框６ｃの端部に設けられた樹脂製の召し合せ気密ピース４５（召し合せ下部溝塞ぎ）とを介して接続される。前記召し合せ框下部止水ブロック４４は、第１案内溝２０の左右を室内空間と室外空間とに分けている。召し合せ框下部止水ブロック４４は、第１横気密材４２と同様に気密材取付溝に取付けられて第１案内溝２０に配置される上部止水部４４ａを有している。
【００２４】
第１横気密材４２は固定側である内障子側室内側カバー材３７ａに取付けられており、第２横気密材４３は固定側である外障子側中間カバー材３８ｂに取付けられている。これにより、前記内障子側中間カバー材３８ａ、内障子側室外側カバー材３９ａ、外障子側室内側カバー材３７ｂや外障子側室外側カバー材３９ｂを取外しても、横気密材４２，４３が途中で切断されたり、縦気密材４６，４９との繋ぎ目が切れたりすることが無く、気密性及び耐久性の向上が図れる。
【００２５】
前記召し合せ気密ピース４５の下端部は下枠２ｂの上面１２と対応する形状に形成され、垂下片１７と同様に第１案内溝２０内に垂下されて召し合せ框下部止水ブロック４４に接する垂下片部４５ａを有している。召し合せ気密ピース４５は高さ調整可能（建て付け調整可能）に取付けられている。また、第１横気密材４２の端部と縦枠２ｄの縦気密材４６の下端部とは下枠端部立上り部材４７と縦枠下部気密ピース４８を介して接続されており、第２横気密材４３の端部と縦枠２ｃの縦気密材４９の下端部とは接続されている。これにより連続した気密ライン（止水ライン）が形成されている。
【００２６】
このように室内外の気密性が確保されているため、冬期などには室内外の温度差が大きくなり、障子３，４の室内面に結露水が生じる場合があり、内障子３の室内面に生じた結露水は内障子３の室内側下部（下縁部）５０から下枠２ｂの上面１２に落下する。下枠２ｂの上面１２に落下した結露水が室内に流れ込むのを防止するために、換言すれば、室内外の気密性を保持しつつ前記結露水を室外に排水するために、前記下枠２ｂの上面１２には前記内障子３の室内側下部（下縁部）５０から落下する結露水を受ける深さの浅い水受溝５１が下枠２ｂの長手方向全長に亘って設けられ、該水受溝５１から室外に連通した前記下枠２ｂ内の空間部３３へ排水するための排水弁５２が設けられ、該排水弁５２を経由して結露水が室内側から室外へ排水されるようになっている。前記内障子３の室内側下部（垂下片ともいう）５０は、前記水受溝５１の真上にある。
【００２７】
好ましくは、図７ないし図８に示すように、前記下枠２ｂの上面１２には前記水受溝５１が設けると共に該水受溝５１の一端に内障子３の全開位置を規制する内障子用ストッパー５３が設けられ、水受溝５１の内障子用ストッパー５３で隠れた部分から室外に連通した下枠２ｂ内の空間部３３へ排水するための排水弁５２が設けられている。本実施例では、前記水受溝５１の内障子用ストッパー５３で隠れた部分に排水孔５４が設けられ、水受溝５１の下方の室内側溝部３１の隔壁２５に排水弁５２が取付けられている。前記内障子３の室内側下部（下縁部）５０は下框６ｂの長手方向に沿って内障子３の全長に亘って設けられている（縦通し框の場合、縦框６ｃ、６ｄの室内側下端部を含む）。前記内障子３の室内側下部（下縁部）５０は水受溝５１に近接していることが戸車１０を隠せて意匠性の向上が図れる点で好ましい。
【００２８】
前記排水弁５２は、例えば図９の（ａ），（ｂ）に示すように下枠２ｂの隔壁２５に設けた開口部５５に取付けられる本体５２ａと、この本体５２ａに開閉可能に取付けられた弁体５２ｂとから主に構成されている。通常は、図９の（ａ）に示すように弁体５２ｂが下方に開いた隙間５２ｃから結露水が排水されるが、図９の（ｂ）に示すように室外側からの風圧により弁体５２ｂが上方に閉じて水の逆流を防止するようになっている。
【００２９】
一方、図８の破線で示すように第１立上り壁２８の端部を切り欠いて第１溝部２６と室内側溝部３１とを連通させることにより、一点鎖線の矢印で示すように外障子４の室内面から垂下片１８を伝わって下枠２ｂの上面１２に流下し、更に第１案内溝２０から第１溝部２６に流入した結露水が、第１溝部２６から室内側溝部３１の排水弁５２に至り、該排水弁５２を経由して室外へ排水されるようになっている。
【００３０】
下枠２ｂの上面１２には、外障子４の室外側下部（下縁部）６０に対応する位置に前記水受溝５１と略同じ断面形状の室外側溝部６１が長手方向全長に亘って形成されている。また、下枠２ｂは床部１５と略同じ高さで室内側に延出されたアングル部６２を一体または別体で有している。図示例は下枠にアングル部が一体の場合を示している。アングル部が別体の場合、下枠にアングル部が固着具で固定される。そして、前記下枠２ｂの上面１２には、雨水等で濡れると滑り易くなることから、滑りを無くすために滑り止め部材６３が設けられている。滑り止め部材６３としては、摩擦抵抗の大きい例えばゴム、軟質樹脂、半硬質樹脂、或いは表面がザラザラのシート等が用いられる。前記滑り止め部材６３は、下枠２ｂの上面１２における少なくとも閉鎖状態の障子３，４で仕切られる室外領域（雨水がかかり易い領域）に設けられていることが好ましい。
【００３１】
本実施例では、図１１にも示すように、滑り止め部材６３は、下枠のアングル部の上面に設けられた第１滑り止め部材６４と、室内側の受水溝５１を利用して設けられた第２滑り止め部材６５と、横気密材４２，４３を利用して設けられた第３，第４滑り止め部材６６，６７と、室外側溝部６１を利用して設けられた第５滑り止め部材６８とから主に構成されている。
【００３２】
第１滑り止め部材６４は、アングル部６２の上面に接着剤や両面粘着テープ等により張設されている。第２滑り止め部材６５は、水受溝５１の内面に嵌合する横断面略Ｕ字形状をしており、その両側部から下枠２ｂの上面１２を覆うべくヒレ状の滑り止め片６５ａ，６５ｂが延出されている。第３滑り止め部材６６は、第１横気密材４２の上部から下枠２ｂの上面１２を覆うべくヒレ状に延出して形成されている。第４滑り止め部材６７は、第２横気密材４３の上部から下枠２ｂの上面（第２立上り部２９上面）を覆うべくヒレ状に延出して形成されている。
【００３３】
第３，第４滑り止め部材６６，６７を下枠２ｂの略全長に配置するために、第１，第２横気密材４２，４３は下枠２ｂの略全長に取付けられていることが好ましい（なお、図４では第１，第２横気密材が下枠の略半分の長さで設けられている例が示されている。）。この場合、横気密材を必要としない領域では、横気密材のヒレが切除されていても良く、或いは第３，第４滑り止め部材６６，６７が第１，第２横気密材４２，４３の取付溝を利用して取付けられていても良い。
【００３４】
第５滑り止め部材６８は、室外側溝部６１の内面に嵌合する横断面略Ｕ字形状をしており、その両側部から下枠２ｂの上面１２を覆うべくヒレ状の滑り止め片６８ａ，６８ｂが延出されている。第２，第５滑り止め部材６５，６８は、形材からなる室内側，外側カバー材３７，３９にその溝５１，６１等の形状や構造を利用した嵌合や係合により固定されている。下枠２ｂの上面における戸車１０，１１が通る領域には滑り止め部材６３が配置されていないことが滑り止め部材６３の摩耗を防止する上で好ましい。
【００３５】
以上の構成からなるサッシ１によれば、上下枠２ａ，２ｂ及び左右の縦枠２ｃ，２ｄからなる枠２と、該枠２内に左右方向に開閉可能に設けられた障子３，４とを備え、前記下枠２ｂの上面１２を略平坦面に形成し、該下枠２ｂの上面１２に滑り止め部材６３を設けてなるため、たとえ下枠２ｂの略平坦面の上面１２が雨水等で濡れていたとしても、その下枠２ｂの上面１２に足が乗った時に滑って転ぶのを防止することができる。
【００３６】
下枠２ｂの上面に滑り止め部材６３を設ける態様としては、下枠２ｂの上面全体に設けられていても良く、或いは下枠２ｂの上面における障子閉鎖時の室外領域（雨水が係り易い領域）のみに設けられていても良く、或いはアングル部６２の上面のみに設けられていても良く、或いは横気密材４２，４３のみに形成されていても良い。滑り止め部材６３は下枠２ｂの上面全体に設けられていなくても良く、部分的であっても滑り止めの効果を発揮することができる。横気密材に滑り込め部材を形成しておけば、滑り止め部材の取付けが横気密材の取付けと同時にでき、施工性の向上が図れる。
【００３７】
図１２は本発明の変形例を示す下枠の拡大横断面図である。本図において、前記実施例と同一部分は同一符号を付して説明を省略する。本実施例では、下枠の上面に滑り止め部材として小さい凹凸部６９が多数設けられている。下枠の上面における戸車１０，１１が走行する領域には戸車の走行を円滑にするために凹凸部６９は設けられていない。
【００３８】
以上、本発明の実施の形態を図面により詳述してきたが、本発明は前記実施の形態に限定されるものではなく、本発明の要旨を逸脱しない範囲での種々の設計変更等が可能である。例えば、本発明（例えば請求項１，３，４）が適用される開口部装置としては、引違いサッシ以外に、引戸（片引戸）であっても良い。
【００３９】
【発明の効果】
以上説明したように本発明によれば次のような効果を奏することができる。
【００４０】
（１）請求項１の発明によれば、上下枠及び左右の縦枠からなる枠と、該枠内に左右方向に開閉可能に設けられた障子とを備え、前記下枠の上面を略平坦面に形成し、該下枠の上面に滑り止め部材を設けてなるため、たとえ下枠の略平坦面の上面が雨水等で濡れていたとしても、その下枠の上面に足が乗った時に滑って転ぶのを防止することができる。
【００４１】
（２）請求項２の発明によれば、上下枠及び左右の縦枠からなる枠と、該枠内に左右方向に開閉可能に設けられた障子とを備え、前記下枠は室内側に延出したアングル部を一体または別体で有し、該アングル部を含む下枠の上面を略平坦面に形成し、前記アングル部の上面に滑り止め部材を設けてなるため、たとえ下枠の略平坦面の上面が雨水等で濡れていたとしても、その下枠の上面に足が乗った時に滑って転ぶのを防止することができる。
【００４２】
（３）請求項３の発明によれば、上下枠及び左右の縦枠からなる枠と、該枠内に左右方向に開閉可能に設けられた障子とを備え、前記下枠の上面を略平坦面に形成し、前記障子の下部に垂下片を設け、前記下枠の上面に前記垂下片を案内する案内溝を設け、該案内溝に前記垂下片との間を封止する横気密材を設け、該横気密材には下枠の上面を覆う滑り止め部材が形成されているため、たとえ下枠の略平坦面の上面が雨水等で濡れていたとしても、その下枠の上面に足が乗った時に滑って転ぶのを防止することができる。
【００４３】
（４）請求項４の発明によれば、上下枠及び左右の縦枠からなる枠と、該枠内に引違いに開閉可能に設けられた障子とを備え、前記下枠の上面を略平坦面に形成し、前記障子の下部に垂下片を設け、前記下枠の上面に前記垂下片を案内する案内溝を設け、該案内溝に前記垂下片との間を封止する横気密材を設け、前記下枠の上面に滑り止め部材を設けてなるため、たとえ下枠の略平坦面の上面が雨水等で濡れていたとしても、その下枠の上面に足が乗った時に滑って転ぶのを防止することができる。
【図面の簡単な説明】
【図１】本発明の実施の形態の開口部装置を概略的に示す室内側正面図である。
【図２】図１の横断面図である。
【図３】図１の縦断面図である。
【図４】気密構造を説明するための概略的斜視図である。
【図５】召内框下部の気密構造を説明するための概略的斜視図である。
【図６】召内框下部の気密構造を説明するための概略的斜視図である。
【図７】開口部装置の要部縦断面図である。
【図８】同要部横断面図である。
【図９】排水弁の一例を示す図で、（ａ）は排水時の断面図、（ｂ）は逆流防止時の断面図である。
【図１０】下枠の上面における分割状態を示す図で、（ａ）は障子が無い時の図、（ｂ）は障子を右側に寄せた時の図である。
【図１１】下枠の拡大横断面図である。
【図１２】本発明の変形例を示す下枠の拡大横断面図である。
【符号の説明】
１  サッシ（開口部装置）
２  枠
２ａ  上枠
２ｂ  下枠
２ｃ，２ｄ  縦枠
３  内障子
４  外障子
１２  下枠の上面
１７，１８  垂下片
２０，２１  案内溝
６３  滑り止め部材
６４  第１滑り止め部材
６５  第２滑り止め部材
６６，６７  第３，第４滑り止め部材
６８  第５滑り止め部材
６９  凹凸部（滑り止め部材）
【図１】
2004346589.tif 000003
【図２】
2004346589.tif 000004
【図３】
2004346589.tif 000005
【図４】
2004346589.tif 000006
【図５】
2004346589.tif 000007
【図６】
2004346589.tif 000008
【図７】
2004346589.tif 000009
【図８】
2004346589.tif 000010
【図９】
2004346589.tif 000011
【図１０】
2004346589.tif 000012
【図１１】
2004346589.tif 000013
【図１２】
2004346589.tif 000014